(57)【要約】　　　（修正有）【課題】クリップを回転させることによって色等を選ぶ、複数色ボールペン、シャープペン等で、何も書かないとき、すなわちすべての芯をペンの中にしまいこんでいる状態のとき、すぐにどんな色のペンでもだせる状態にある反面、グラグラして落ち着きがないという問題がある。【解決手段】クリップ１を回転させることによって色等を選ぶ、複数色ボールペン、シャープペン等で何も書かないとき、すなわちすべての芯２をペンの中にしまいこんでいる状態のとき、どの芯をだすわけでもない空きポジション３を他の芯の支え４と同様に備える事によって、そのクリップ式複数色ボールペン、シャープペン等がグラグラせず、使わない状態のときも、他の芯をだしているときと同様に安定している。【選択図】　　　　　　　図１
2004058635.tif 000002
【特許請求の範囲】
【請求項１】
クリップ（１）を回転させることによって色等を選ぶ、複数色ボールペン、シャープペン等で何も書かないとき、すなわちすべての芯（２）をペンの中にしまいこんでいる状態のとき、どの芯をだすわけでもない空きポジション（３）を他の芯の支え（４）と同様に供える事によって、そのクリップ式複数色ボールペン、シャープペン等がグラグラせず、使わない状態のときも安定させる、空きポジションつき、複数色ボールペン等。
【請求項２】
クリップ（１）を回転させることによって色等を選ぶ、複数色ボールペン、シャープペン等のクリップの部分を、どの芯を選ぶべきかを決定する軸（８）とつながった、回転させることによって色等を選ぶ部分（５）と、ペンに固定され、ポケットに引っ掛ける仕事等を行なう部分（６）とに２分割する、複数色ボールペン等。
【発明の詳細な説明】
【０００１】
【発明の属する技術分野】
本発明は、クリップを回転させることによって色等を選ぶ、複数色ボールペン、シャープペン等の文字を書く機能の外に、一本のペンとして、何を書くわけでもなく持ち主の手元にあるとき、ペンとしての品質、品位を保つため、どの芯をだすわけでもない、空きポジションを他の芯と同様に備える事によって、そのクリップ式複数色ボールペン、シャープペン等がグラグラせず、使わない状態のときも安定させる技術に関するものである。
【０００２】
【従来の技術】
クリップ式複数色ボールペン、シャープペン等は機能性にすぐれ、１本で復数本分以上の働きをするが、何も書かないとき、すなわちすべての芯をペンの中にしまいこんでいる状態のとき、すぐにどんな色のペンでもだせる状態にある反面、グラグラして落ち着きがないという問題がある。
また、ペンのクリップの部分は、回転することによって、出して使うべきさまざまな色のペンを指示すことに使われているが、このグラグラした状態では、ペンのクリップの部分本来の仕事である、ポケットに引っ掛ける仕事等が大変実施しにくくなり、これもクリップ式複数色ボールペン、シャープペン等のもつ大きな問題点である。
従来、これらの問題はとくに考慮されず、グラグラしたまま使われているというのが現状である。
【０００３】
【発明が解決しようとする課題】
クリップ式複数色ボールペン、シャープペン等で、何も書かないとき、すなわちすべての芯をペンの中にしまいこんでいる状態のとき、すぐにどんな色のペンでもだせる状態にある反面、グラグラして落ち着きがないという問題がある。
使用にはほとんど問題がなく、いささか極論ではあるが、これはとくに品位品質を重んじようとする場合は、クリップ式複数色ボールペン、シャープペン等の、ひとつの欠点であるといえよう。
本発明は、この欠点を解決するためになされたものである。
【０００４】
【課題を解決するための手段】
クリップ（１）を回転させることによって色等を選ぶ、複数色ボールペン、シャープペン等で何も書かないとき、すなわちすべての芯（２）をペンの中にしまいこんでいる状態のとき、どの芯をだすわけでもない空きポジション（３）を他の芯の支え（４）と同様に備える事によって、そのクリップ式複数色ボールペン、シャープペン等がグラグラせず、使わない状態のときも、他の芯をだしているときと同様に安定している。
また、別にクリップ（１）を回転させることによって色等を選ぶ、複数色ボールペン、シャープペン等のクリップの部分を、どの芯を選ぶべきかを決定する軸（８）とつながった、回転させることによって色等を選ぶ部分（５）と、ペンに固定され、ポケットに引っ掛ける仕事等を行なう部分（６）とに２分割する方法もある。
本発明は、以上の構成よりなる「空きポジションつき、複数色ボールペン等」である。
【０００５】
【発明の実施の形態】
以下、本発明の実施の形態を説明する。
クリップ（１）を回転させることによって色等を選ぶ、複数色ボールペン、シャープペン等はその内部に芯（２）と、スプリング（７）と、芯の支え（４）と、どの芯を選ぶべきかを決定する軸（８）をもっている。
で、何も書かないとき、すなわちすべての芯（２）をペンの中にしまいこんでいる状態のとき、どの芯をだすわけでもない空きポジション（３）を他の芯の支え（４）と同様に備える。
すなわち、別の表現方法をもちいると、クリップ式複数色ボールペン、シャープペン等で、必要とされる芯の支え（４）の数より１つ多く芯の支えを備えるということである。
つまり、例えば２色のボールペンでは３つ、３色のボールペンでは４つの芯の支えを備え、余った１つの芯の支えを、どの芯をだすわけでもない空きポジション（３）として他の芯の支え（４）と同様に備える訳である。
そうする事によって、何も書かないときでも、そのクリップ式複数色ボールペン、シャープペン等を、グラグラさせず、芯を出しペンとして使用されているときと同様に安定させる。
なお、空きポジション（３）はあくまで空きポジションであるから。支えるべき芯（２）はもたず、その代わりに機構を安定させるダミーの芯（９）とスプリング（７）をもつ。
この、空きポジション（３）とダミーの芯（９）の２点は一つにまとまっていてもよいし、それにスプリング（７）を加えて、３点とも一つにしてもよい。
また、別にクリップ（１）を回転させることによって色等を選ぶ、複数色ボールペン、シャープペン等のクリップの部分を、どの芯を選ぶべきかを決定する軸（８）とつながった、回転させることによって色等を選ぶ部分（５）と、ペンに固定され、ポケットに引っ掛ける仕事等を行なう部分（６）とに２分割する方法もある。
本発明は、以上の構成よりなる「空きポジションつき、複数色ボールペン等」である。
【０００６】
【発明の効果】
本発明を使用することによって、クリップ部分は何も書かないときでも、ペンを出しているときと同様に安定しうる。
また、ペンのクリップの部分本来の仕事である、ポケットに引っ掛ける仕事等を行なううえからも、この安定が非常に役立つ。
この発明は、品位品質を重んじようとする場合、特に効果を発揮する。
【図面の簡単な説明】
【図１】空きポジションつき、複数色ボールペン等の斜図
【図２】Ａ線で切った場合の断面図
【図３】クリップの部分を２分割した場合の斜図
【図４】空きポジションとダミーの芯を一つにした場合の斜図
【符号の説明】
１　クリップ
２　芯
３　空きポジション
４　芯の支え
５　回転させることによって色等を選ぶ部分
６　ポケットに引っ掛ける仕事等を行なう部分
７　スプリング
８　どの芯を選ぶべきかを決定する軸
９　ダミーの芯
１０　スプリングの止め板
【図１】
2004058635.tif 000003
【図２】
2004058635.tif 000004
【図３】
2004058635.tif 000005
【図４】
2004058635.tif 000006